(57)【要約】【課題】折畳状態からの組み立てが容易で、少量の材料で製造できる蓋付き箱を提供する。【解決手段】底面板３、前面板４、一対の側面板５及び後面板６を連設して身１を構成し、その後面板６に繋がる天面板７に蓋前板８及び一対の蓋側板９を連設して身１に被さる蓋２を構成し、扁平な折畳状態から組み立てられるようにした蓋付き箱において、底面板３の前角から前面板４の端縁に至る斜山折線ａと、底面板３の後角から側面板５の端縁に至る斜谷折線ｂと、天面板７の前角から蓋前板８の端縁に至る斜山折線ｃとを設け、折畳状態では、前面板４、両側面板５及び蓋前板８をそれぞれ斜山折線ａ、斜谷折線ｂ及び斜山折線ｃに沿って折り曲げ、底面板３と後面板６とが重なるように二つ折りにする。【選択図】　図４
2004001778.tif 000002
【特許請求の範囲】
【請求項１】
底面板３、前面板４、一対の側面板５及び後面板６を連設して身１を構成し、その後面板６に繋がる天面板７に蓋前板８及び一対の蓋側板９を連設して身１に被さる蓋２を構成し、扁平な折畳状態から組み立てられるようにした蓋付き箱において、底面板３の前角から前面板４の端縁に至る斜山折線ａと、底面板３の後角から側面板５の端縁に至る斜谷折線ｂと、天面板７の前角から蓋前板８の端縁に至る斜山折線ｃとを設け、折畳状態では、前面板４、両側面板５及び蓋前板８をそれぞれ斜山折線ａ、斜谷折線ｂ及び斜山折線ｃに沿って折り曲げ、底面板３と後面板６とが重なるように二つ折りにすることを特徴とする蓋付き箱。
【請求項２】
底面板３、前面板４、一対の側面板５及び後面板６を連設して身１を構成し、その後面板６に繋がる天面板７に蓋前板８及び一対の蓋側板９を連設して身１に被さる蓋２を構成し、扁平な折畳状態から組み立てられるようにした蓋付き箱において、底面板３の前角から前面板４の端縁に至る斜山折線ａと、底面板３の後角から側面板５の端縁に至る斜谷折線ｂと、天面板７の前角から蓋側板９の端縁に至る斜谷折線ｆとを設け、折畳状態では、前面板４、両側面板５及び蓋側板９をそれぞれ斜山折線ａ、斜谷折線ｂ及び斜谷折線ｆに沿って折り曲げ、底面板３と後面板６とが重なるように二つ折りにすることを特徴とする蓋付き箱。
【請求項３】
前記蓋前板８及び一対の蓋側板９を下方へ延長し、組立時に蓋前板８が前面板４を覆うようにしたことを特徴とする請求項１又は２に記載の蓋付き箱。
【発明の詳細な説明】
【０００１】
【発明の属する技術分野】
この発明は、靴箱等として、扁平な折畳状態から組み立てて使用される厚紙製の蓋付き箱に関するものである。
【０００２】
【従来の技術】
例えば、靴店で靴を包装する際には、図１１に示すように、底面板５３に前面板５４、一対の側面板５５及び後面板５６を連設して身５１を構成し、後面板５６に繋がる天面板５７に蓋前板５８及び一対の蓋側板５９を連設して身５１に被さる蓋５２を構成した靴箱を使用する。
【０００３】
この靴箱の身５１は、前面板５４と側面板５５及び後面板５６と側面板５５とを斜谷折線ｄに沿って折り曲げられる連結片６１，６２を介してそれぞれ繋ぎ、前面板５４及び側面板５５から延出した重合板６３，６４を内側へ折り曲げ、前面板５４と重合板６３とで連結片６１を抱き込むことにより保形する。
【０００４】
また、蓋５２は、蓋前板５８と蓋側板５９とを斜谷折線ｅに沿って折り曲げられる連結片６５を介して繋ぎ、蓋前板５８から延出した重合板６６を内側へ折り曲げ、蓋前板５８と重合板６６とで連結片６５を抱き込むことにより保形する。
【０００５】
【発明が解決しようとする課題】
しかしながら、上記のような靴箱は、組み立てに手間がかかり、店頭で迅速に靴を包装できないという問題がある。また、重合板を要することから、製造に多量の用紙を消費するという問題もある。
【０００６】
そこで、この発明は、折畳状態からの組み立てが容易で、少量の材料で製造できる蓋付き箱を提供することを課題とする。
【０００７】
【課題を解決するための手段】
上記課題を解決するため、この発明は、底面板、前面板、一対の側面板及び後面板を連設して身を構成し、その後面板に繋がる天面板に蓋前板及び一対の蓋側板を連設して身に被さる蓋を構成し、扁平な折畳状態から組み立てられるようにした蓋付き箱において、底面板の前角から前面板の端縁に至る斜山折線と、底面板の後角から側面板の端縁に至る斜谷折線と、天面板の前角から蓋前板の端縁に至る斜山折線とを設け、折畳状態では、前面板、両側面板及び蓋前板をそれぞれ斜山折線、斜谷折線及び斜山折線に沿って折り曲げ、底面板と後面板とが重なるように二つ折りにすることとしたのである。
【０００８】
この蓋付き箱は、連結片の折り曲げや抱込等の作業を要することなく、扁平な折畳状態から迅速に組み立てることができ、重合板が不要であることから、少量の用紙で製造できる。
【０００９】
なお、前記蓋前板の斜山折線に代えて、天面板の前角から蓋側板の端縁に至る斜谷折線を設け、折畳状態では、この斜谷折線に沿って蓋側板を折り曲げるようにしてもよい。
【００１０】
また、前記蓋前板及び一対の蓋側板を下方へ延長し、組立時に蓋前板が前面板を覆うようにすると、前方の稜線が補強されて、積上時の剛性が向上し、蓋前板の端縁が見えにくくなって、美粧性が向上する。
【００１１】
【発明の実施の形態】
まず、この発明の第１実施形態を図１乃至図５に基づいて説明する。
【００１２】
この蓋付き箱のブランクは、図１に示すように、底面板３に前面板４、一対の側面板５及び後面板６を連設し、また後面板６に繋がる天面板７に蓋前板８及び一対の蓋側板９を連設し、前面板４、後面板６及び蓋前板８の両側縁からそれぞれ継代１１，１２，１３を延出したものとされ、蓋側板９の端縁は前下がりになるように傾斜し、蓋前板８は前面板４を覆える大きさとなっている。
【００１３】
また、このブランクには、底面板３の前角から前面板４の端縁に至る斜山折線ａと、底面板３の後角から側面板５の端縁に至る斜谷折線ｂと、天面板７の前角から蓋前板８の端縁に至る斜山折線ｃとが、水平及び垂直方向に対して４５°の角度で傾斜するように設けられている。
【００１４】
ところで、この例では、斜山折線ａ，ｃを罫線とし、斜谷折線ｂを罫線にミシン目状の切目を入れたリード罫としているが、これらは、斜谷折線ｂが逆折しやすいように、罫線、ミシン目、半切線等を適宜組み合わせて形成すればよい。
【００１５】
このようなブランクから蓋付き箱を形成するには、底面板３から前面板４、側面板５及び後面板６を起こして、継代１１を側面板５の前端部内面に貼着し、継代１２を側面板５の斜谷折線ｂより後部の内面に貼着し、また、天面板７から蓋前板８及び蓋側板９を起こし、継代１３を蓋側板９の前端部内面に貼着する。
【００１６】
そして、図２に示すように、前面板４、側面板５及び蓋前板８をそれぞれ斜山折線ａ、斜谷折線ｂ及び斜山折線ｃに沿って折り曲げ、底面板３と後面板６とが重なるように二つ折りにすると、この蓋付き箱は扁平に折り畳まれるので、輸送時や保管時に嵩張ることがない。
【００１７】
一方、このように扁平に折り畳んだ状態から蓋付き箱を組み立てるには、図３に示すように、底面板３から後面板６を起こし、図４に示すように、前面板４、両側面板５及び蓋前板８の折り曲げを伸ばして、身１及び蓋２を形成する。
【００１８】
そして、靴等の商品を身１に収納し、図５に示すように、蓋２を身１に被せるように閉じると、前面板４、両側面板５及び蓋前板８の屈曲が阻止され、この蓋付き箱は、確実に保形される。
【００１９】
このように、上記蓋付き箱は、従来例のような連結片の折り曲げや抱込等の作業を要することなく、扁平な折畳状態から迅速に組み立てることができる。
【００２０】
また、構造が簡単で、重合板が不要であることから、少量の用紙で製造でき、加工の手間もあまりかからない。
【００２１】
また、蓋前板８及び一対の蓋側板９を下方へ延長して、組立時に蓋前板８が前面板４を覆うようにしたので、前方の稜線が補強されて、積上時の剛性が向上するほか、蓋前板８の端縁が見えにくくなって、美粧性にも優れたものとなる。
【００２２】
次に、この発明の第２実施形態を図６乃至図１０に基づいて、上記第１実施形態との相違点を中心に説明する。
【００２３】
この蓋付き箱のブランクでは、前記蓋前板８の斜山折線ａに代えて、図６に示すように、天面板７の前角から蓋側板９の端縁に至る斜谷折線ｆが設けられ、蓋側板９は前端から後端まで長くなっている。
【００２４】
そして、このブランクを組み立てて折り畳む際には、図７に示すように、斜谷折線ｆに沿って蓋側板９を折り曲げるようにして、底面板３と後面板６とが重なるように二つ折りにする。
【００２５】
また、この折畳状態から蓋付き箱を組み立てる際には、図８に示すように、底面板３から後面板６を起こし、図９に示すように、前面板４、両側面板５及び蓋側板９の折り曲げを伸ばして、身１及び蓋２を形成する。
【００２６】
その後、靴等の商品を身１に収納し、図１０に示すように、蓋２を身１に被せるように閉じると、前面板４、両側面板５及び蓋側板９の屈曲が阻止され、この蓋付き箱は、確実に保形される。
【００２７】
このような蓋付き箱では、組立時に蓋２の正面となる蓋前板８に折線が現れないので、商品包装時の美観が向上する。
【００２８】
【発明の効果】
以上のように、この発明に係る蓋付き箱は、底面板から後面板を起こし、前面板、両側面板及び蓋前板又は蓋側板の折り曲げを伸ばすだけで、扁平な折畳状態から迅速に組み立てることができ、また、少量の材料で製造できるので、低コストで供給できる。
【図面の簡単な説明】
【図１】この発明の第１実施形態に係る蓋付き箱のブランクを示す図
【図２】同上の折畳状態を示す斜視図
【図３】同上の組立過程を示す斜視図
【図４】同上の組立時に蓋を開いた状態を示す斜視図
【図５】同上の蓋を閉じた状態を示す斜視図
【図６】この発明の第２実施形態に係る蓋付き箱のブランクを示す図
【図７】同上の折畳状態を示す斜視図
【図８】同上の組立過程を示す斜視図
【図９】同上の組立時に蓋を開いた状態を示す斜視図
【図１０】同上の蓋を閉じた状態を示す斜視図
【図１１】従来の靴箱の一例を示す斜視図
【符号の説明】
１　身
２　蓋
３　底面板
４　前面板
５　側面板
６　後面板
７　天面板
８　蓋前板
９　蓋側板
１１，１２，１３　継代
ａ，ｃ　斜山折線
ｂ，ｆ　斜谷折線
【図１】
2004001778.tif 000003
【図２】
2004001778.tif 000004
【図３】
2004001778.tif 000005
【図４】
2004001778.tif 000006
【図５】
2004001778.tif 000007
【図６】
2004001778.tif 000008
【図７】
2004001778.tif 000009
【図８】
2004001778.tif 000010
【図９】
2004001778.tif 000011
【図１０】
2004001778.tif 000012
【図１１】
2004001778.tif 000013